(57)【要約】【課題】操作性の向上を図ることのできるリモコン送信器を提供する。【解決手段】切替スイッチ１９をＡ側にすると数値キー１８により数値入力して項目の選択等を行うことができる。切替スイッチ１９をＢ側にすると数値キー１８の操作によって対応する数値が回数として記憶部に記憶される。続いて送りキー１５を操作すると、記憶部に記憶された回数を読み込んで該回数だけ送りキー１５に応じた波形の信号が所定間隔で出力される。これにより、ディスクに記憶された所望のトラックやチャプターに容易にジャンプして再生することができる。【選択図】      図３
2004336263.tif 000002
【特許請求の範囲】
【請求項１】
複数の操作キーを有して各前記操作キーの操作に応じた信号を、ディスクを再生するディスク再生装置に出力するリモコン送信器において、複数の回数キーと、操作された前記回数キーに対応する回数を記憶する記憶部とを備え、前記操作キーを操作した際に該操作キーに応じた信号を、前記記憶部に記憶された回数だけ所定間隔で出力するとともに、前記記憶部に記憶された回数に拘わらず該操作キーに応じた信号を１回出力できる切替手段を設けたことを特徴とするリモコン送信器。
【請求項２】
複数の操作キーを有して各前記操作キーの操作に応じた信号を出力するリモコン送信器において、複数の回数キーと、操作された前記回数キーに応じた回数を記憶する記憶部とを備え、前記操作キーを操作した際に該操作キーに応じた信号を、前記記憶部に記憶された回数だけ所定間隔で出力することを特徴とするリモコン送信器。
【請求項３】
前記操作キーを操作した際に前記記憶部に記憶された回数に拘わらず該操作キーに応じた信号を１回出力できる切替手段を設けたことを特徴とする請求項２に記載のリモコン送信器。
【請求項４】
各前記回数キーに対応する発光素子を設け、前記記憶部に記憶された回数に対応する前記発光素子を点灯することを特徴とする請求項１〜請求項３のいずれかに記載のリモコン送信器。
【発明の詳細な説明】
【０００１】
【発明の属する技術分野】
本発明は、複数の操作キーを有し、操作された操作キーに応じた波形の信号を送信して受信装置を遠隔操作するリモートコントロール送信器（以下、「リモコン送信器」という）に関する。
【０００２】
【従来の技術】
ＣＤやＤＶＤ等のディスクを再生するディスク再生装置等は、リモコン送信器により信号を送信して遠隔操作することができる。ディスクには複数のトラックやチャプターに区分けして音声や映像のデータが記録されている。リモコン送信器には矢印キー等が設けられており、該矢印キー等を所定の回数だけ操作してトラックやチャプター順送りすることによって所望のトラックやチャプターの再生を開始することができる。このため、同じ操作キーを何回も操作する必要がありリモコン送信器の操作性が悪い問題があった。
【０００３】
また、特許文献１には複数の操作を予め記憶させることのできるリモコン送信器が開示されている。このリモコン送信器によると、矢印キー等を複数回操作して操作手順を記憶し、所定の操作キーを操作することによって記憶された手順を行うことができる。これにより、簡単な操作で所望のトラックやチャプターにジャンプして再生を開始することができる。
【０００４】
【特許文献１】
特開平０６−１６５２５４号公報（第２頁〜第６頁、第１図）
【０００５】
【発明が解決しようとする課題】
しかしながら、上記特許文献１に開示されたリモコン送信器によると、所望のトラックやチャプターが一定でないため予め決められた操作回数では所望のトラックやチャプターを開始できない場合がある。このため、再生時にその都度操作を記憶させると却ってリモコン送信器の操作性が悪化する問題があった。
【０００６】
本発明は、操作性の向上を図ることのできるリモコン送信器を提供することを目的とする。
【０００７】
【課題を解決するための手段】
上記目的を達成するために本発明は、複数の操作キーを有して各前記操作キーの操作に応じた信号を、ディスクを再生するディスク再生装置に出力するリモコン送信器において、複数の回数キーと、操作された前記回数キーに対応する回数を記憶する記憶部とを備え、前記操作キーを操作した際に該操作キーに応じた信号を、前記記憶部に記憶された回数だけ所定間隔で出力するとともに、前記記憶部に記憶された回数に拘わらず該操作キーに応じた信号を１回出力できる切替手段を設けたことを特徴としている。
【０００８】
この構成によると、回数キーを操作すると対応する回数が記憶部に記憶され、続いて所定の操作キーが操作されると対応する信号が上記回数だけ所定間隔で出力される。これにより、例えばディスクに記録された所望のトラックやチャプターにジャンプして再生することができる。また、切替手段を切り替えて操作キーを操作すると対応する信号が１回出力され、例えばトラックやチャプターを１つ送ることができる。
【０００９】
また本発明は、上記構成のリモコン送信器において、複数の操作キーを有して各前記操作キーの操作に応じた信号を出力するリモコン送信器において、複数の回数キーと、操作された前記回数キーに応じた回数を記憶する記憶部とを備え、前記操作キーを操作した際に該操作キーに応じた信号を、前記記憶部に記憶された回数だけ所定間隔で出力することを特徴としている。
【００１０】
また本発明は、上記構成のリモコン送信器において、前記操作キーを操作した際に前記記憶部に記憶された回数に拘わらず該操作キーに応じた信号を１回出力できる切替手段を設けたことを特徴としている。
【００１１】
また本発明は、上記構成のリモコン送信器において、各前記回数キーに対応する発光素子を設け、前記記憶部に記憶された回数に対応する前記発光素子を点灯することを特徴としている。この構成によると、ユーザーは記憶部に記憶された回数を発光素子により認識することができる。
【００１２】
【発明の実施の形態】
以下に本発明の実施形態を図面を参照して説明する。図１は第１実施形態のリモコン送信器を示す平面図である。リモコン送信器１はＣＤやＤＶＤ等のディスクを再生するディスク再生装置に設けられた受信器に信号を送信してディスク再生装置の遠隔操作を行う。
【００１３】
リモコン送信器１には電源を供給するバッテリ（不図示）が内装され、回路基板（不図示）上に送信部２及び複数の操作キー１０が設けられる。また、ＥＥＰＲＯＭ等から成る記憶部（不図示）が設けられている。送信部２は赤外線送信器等から成り、操作キー１０に応じた波形の信号を送信する。
【００１４】
操作キー１０は電源キー１１、再生キー１２、停止キー１３、一時停止キー１４、送りキー１５、戻りキー１６、矢印キー１７、数値キー１８（回数キー）から成っている。電源キー１１はディスク再生装置の電源のオンオフを指示する。再生キー１２はディスクの再生を指示する。停止キー１３はディスク再生の停止を指示する。一時停止キー１４はディスク再生の一時停止を指示する。
【００１５】
送りキー１５はディスクに記録されたトラックやチャプターを次に送るように指示する。戻りキー１６はディスクに記録されたトラックやチャプターを前に戻すように指示する。矢印キー１７はディスク再生装置が接続されるディスプレイに表示されたカーソルの移動を指示する。数値キー１８は詳細を後述するように、操作された操作キー１０に応じた信号を連続して出力する回数を指示する。
【００１６】
上記構成のリモコン送信器１において、操作キー１０が操作されると図２に示す波形出力処理が呼び出され、波形出力処理のフローチャートに基づいた動作が行われる。ステップ＃１１では操作された操作キー１０が電源キー１１か否かが判断される。電源キー１１の場合はステップ＃１７で対応する波形の信号が出力され終了する。これにより、ディスク再生装置のオンオフが行われる。
【００１７】
ステップ＃１２では操作された操作キー１０が数値キー１８か否かが判断される。数値キー１８の場合はステップ＃１８に移行して、操作された数値キー１８に対応する回数を記憶部に記憶して終了する。操作された操作キー１０が数値キー１８でない場合はステップ＃１３に移行して、記憶部に記憶された回数を読み出す。尚、デフォルトでは記憶部に「１」が記憶されている。
【００１８】
ステップ＃１４では操作された操作キー１０に応じた波形の信号が出力される。ステップ＃１５では所定時間が経過するまで待機する。ステップ＃１６では記憶部から読み取った回数だけ信号が出力されたか否かが判断され、該回数に到達するまでステップ＃１４〜＃１６が繰り返し行われる。これにより、操作された操作キー１０に応じた波形の信号を記憶部に記憶された回数だけ所定間隔で出力する連続動作が行われる。
【００１９】
例えば、数値キー１８の「４」を操作した後、送りキー１５を操作した場合について説明する。まず、数値キー１８の操作によって波形出力処理が呼び出され、ステップ＃１８で記憶部に「４」を記憶して波形出力処理が終了する。次に、送りキー１５の操作によって波形出力処理が呼び出され、ステップ＃１３で記憶部から回数「４」を読取り、ステップ＃１４〜＃１６で送りキー１５に対応する波形の信号が４回送信される。これにより、４つ先のトラックやチャプターにジャンプして再生が行われる。
【００２０】
また、続いて送りキー１５を操作すると、既に記憶部には回数「４」が記憶されているため、更に４つ先のトラックやチャプターにジャンプして再生を行うことができる。これにより、場面を飛ばしながら視聴して所望の場面を素早く探すことができる。
【００２１】
尚、数値キー１８の「１」を操作して記憶部に回数「１」を記憶しておくことによって信号を１回だけ出力する通常の動作を行うことが可能である。操作キー１０の最後の操作から所定時間が経過すると記憶部に「１」が記憶されるようにしてもよい。更に、数値キー１８の「０」を操作して操作キー１０のロックを行えるようにしてもよい。
【００２２】
また、数値キー１８を操作した後、矢印キー１７を操作してディスプレイに表示されたカーソルを指定回数だけ移動させることもできる。これにより、ディスプレイに一覧表示されたトラックやチャプターから所望のトラックやチャプターを簡単に指定して再生することができる。
【００２３】
本実施形態によると、数値キー１８に続いて他の操作キー１０を操作することによって数値キー１８に応じた回数だけ同一の信号を連続して出力することができる。また、操作キー１０の操作によって既に記憶部に記憶された回数だけ同一の信号を連続して出力することができる。従って、ディスクに記録された所望のトラックやチャプターに簡単にジャンプして再生することができ、リモコン送信器１の操作性を向上させることができる。
【００２４】
次に、図３は第２実施形態のリモコン送信器を示す平面図である。前述の図１に示す第１実施形態と異なる点は通常動作と連続動作とを切り換えるスライド式の切換スイッチ１９（切替手段）を設けている点である。切換スイッチ１９をＡ側にスライドさせると通常動作が行われ、Ｂ側にスライドさせると連続動作が行われるようになっている。また、各数値キー１８にはＬＥＤから成る発光素子２０が設けられている。その他の部分は第１実施形態と同様である。
【００２５】
上記構成のリモコン送信器１において、操作キー１０が操作されると図４に示す波形出力処理が呼出される。ステップ＃２１では操作された操作キー１０が電源キー１１か否かが判断される。電源キー１１の場合はステップ＃３１で対応する波形の信号が出力され終了する。これにより、ディスク再生装置のオンオフが行われる。
【００２６】
ステップ＃２２では切替スイッチ１９がＡ側（通常動作）か否かが判断される。切替スイッチ１９がＡ側の場合はステップ＃３１に移行し、操作された操作キー１０に対応する波形の信号が１回出力され終了する。これにより、操作キー１０に応じた指示が行われる。尚、数値キー１８を操作すると、ディスプレイに表示された項目番号を指示して項目の選択等を行うことができる。
【００２７】
切替スイッチ１９がＢ側（連続動作）の場合はステップ＃２３に移行して記憶部に記憶された回数を読み出す。デフォルトでは記憶部に回数「１」が記憶されている。ステップ＃２４では読み出した回数に対応する数値キー１８の発光素子２０を点灯する。これにより、ユーザーが連続して信号が送信される回数を視認できるようになっている。尚、前述の図１に示す第１実施形態のリモコン送信器１の数値キー１８に発光素子２０を設けてもよい。
【００２８】
ステップ＃２５では操作された操作キー１０が数値キー１８か否かが判断される。数値キー１８の場合はステップ＃３２に移行して記憶部に操作された数値キー１８に対応する回数を記憶する。そして、ステップ＃３３で操作された数値キー１８の発光素子２０に切り替えて点灯して終了する。尚、発光素子２０は切替スイッチ１９がＡ側に切り替えられた場合や、最終操作から所定時間が経過した場合に省電力を図るため消灯するようになっている。
【００２９】
操作された操作キー１０が数値キー１８でない場合はステップ＃２６に移行して、操作された操作キー１０に応じた波形の信号が出力される。ステップ＃２７では所定時間が経過するまで待機する。ステップ＃２８では記憶部から読み取った回数だけ信号が出力されたか否かが判断され、該回数に到達するまでステップ＃２６〜＃２８が繰り返し行われる。これにより、操作された操作キー１０に応じた波形の信号を記憶部に記憶された回数だけ所定間隔で出力する連続動作が行われる。
【００３０】
また、数値キー１８を操作した後、矢印キー１７を操作してディスプレイに表示されたカーソルを指定回数だけ移動させることもできる。これにより、ディスプレイに一覧表示されたトラックやチャプターから所望のトラックやチャプターを簡単に指定して再生することができる。
【００３１】
本実施形態において、スライド式の切替スイッチ１９に替えて操作毎に通常動作と連続動作とを切り替える切替キーを設けてもよい。この時、状態を表示する発光素子を設けるとより望ましい。また、最後の操作キー１０の操作から所定時間が経過すると通常動作側に切り替えられるようにしてもよい。
【００３２】
本実施形態によると、第１実施形態と同様にディスクに記録された所望のトラックやチャプターに簡単にジャンプして再生することができ、リモコン送信器１の操作性を向上させることができる。加えて、数値キー１８の操作によって数値入力して項目の選択等を行うことができ、リモコン送信器１の操作性を更に向上させることができる。
【００３３】
尚、第１、第２実施形態においてリモコン送信器１から送信された信号を受信する受信器をディスク再生装置に設けた場合について説明しているが、その他の電子機器に受信器を設けてリモコン送信器１により遠隔操作する場合についても同様の構成によって同様の効果を得ることができる。
【００３４】
【発明の効果】
本発明によると、操作された回数キーに応じた回数を記憶する記憶部を備え、操作キーを操作した際に該操作キーに応じた信号を記憶部に記憶された回数だけ所定間隔で出力するので、ディスクに記録されたトラックやチャプターのジャンプやディスプレイに表示されたカーソルのジャンプを簡単に行うことができる。従って、リモコン送信器の操作性を向上させることができる。
【００３５】
また本発明によると、操作キーを操作した際に記憶部に記憶された回数に拘わらず該操作キーに応じた信号を１回出力できる切替手段を設けて通常動作と連続動作とを切り替えられるようにしたので、回数キーに応じた数値入力を行うことができ、リモコン送信器の操作性を更に向上させることができる。
【００３６】
また、本発明によると、回数キーに対応する発光素子を設けたので、発光素子の点灯によって記憶部に記憶された回数を容易に視認することができる。
【図面の簡単な説明】
【図１】は、本発明の第１実施形態のリモコン送信器を示す平面図である。
【図２】は、本発明の第１実施形態のリモコン送信器の動作を示すフローチャートである。
【図３】は、本発明の第２実施形態のリモコン送信器を示す平面図である。
【図４】は、本発明の第２実施形態のリモコン送信器の動作を示すフローチャートである。
【符号の説明】
１    リモコン送信器
２    送信部
１０    操作キー
１１    電源キー
１２    再生キー
１３    停止キー
１４    一時停止キー
１５    送りキー
１６    戻りキー
１７    矢印キー
１８    数値キー（回数キー）
１９    切替スイッチ
２０    発光素子
【図１】
2004336263.tif 000003
【図２】
2004336263.tif 000004
【図３】
2004336263.tif 000005
【図４】
2004336263.tif 000006